(57)【特許請求の範囲】
【請求項１】
同じ無線リソースを使用して伝送される、ユーザ端末（ＬＰ−ＵＥ）用のダウンリンク・データおよび少なくとも１つのさらなるユーザ端末（ＩｍＰ−ＵＥ、ＨＰ−ＵＥ）用のダウンリンク・データを含む、ダウンリンク重畳無線信号を用いた基地局（ＢＳ）と前記ユーザ端末（ＬＰ−ＵＥ）の間のダウンリンク通信の方法であって、
・前記ユーザ端末（ＬＰ−ＵＥ）用の前記ダウンリンク・データが、前記少なくとも１つのさらなるユーザ端末（ＩｍＰ−ＵＥ、ＨＰ−ＵＥ）用の前記ダウンリンク・データより低い出力で伝送され、
・前記ユーザ端末（ＬＰ−ＵＥ）が前記少なくとも１つのさらなるユーザ端末（ＩｍＰ−ＵＥ、ＨＰ−ＵＥ）用の前記ダウンリンク・データを復号することを可能にする制御情報が、前記基地局（ＢＳ）から前記ユーザ端末（ＬＰ−ＵＥ）へのダウンリンクの中で送信され、
・前記ユーザ端末（ＬＰ−ＵＥ）が、ダウンリンク伝送出力が最も高い出力で始まる順序で前記少なくとも１つのさらなるユーザ端末（ＩｍＰ−ＵＥ、ＨＰ−ＵＥ）用の前記ダウンリンク・データを復号すること、前記少なくとも１つのさらなるユーザ端末（ＩｍＰ−ＵＥ、ＨＰ−ＵＥ）用の前記ダウンリンク・データの無線信号を再構成すること、および、前記少なくとも１つのさらなるユーザ端末（ＩｍＰ−ＵＥ、ＨＰ−ＵＥ）用の前記ダウンリンク・データの前記無線信号を前記重畳無線信号から取り去ることによって、前記重畳無線信号を連続的に削減し、
・前記ユーザ端末（ＬＰ−ＵＥ）が、前記少なくとも１つのさらなるユーザ端末（ＩｍＰ−ＵＥ、ＨＰ−ＵＥ）用の前記無線信号の分だけ削減された前記重畳無線信号を使用して、それ自体のダウンリンク・データを復号し、
前記ユーザ端末（ＬＰ−ＵＥ）用の制御情報の中の、別のユーザ端末の前記制御情報を指すポインタにより、前記ユーザ端末（ＬＰ−ＵＥ）および前記少なくとも１つのさらなるユーザ端末（ＩｍＰ−ＵＥ、ＨＰ−ＵＥ）用の前記制御情報が、チェーンのようにリンクされている、方法。
【請求項２】
前記ユーザ端末（ＬＰ−ＵＥ）用の前記制御情報は、アグリゲーション・レベル範囲（ＡＬ）を含み、前記ユーザ端末（ＬＰ−ＵＥ）は、前記アグリゲーション・レベル範囲内で他のユーザ端末用の前記制御情報を検索することを特徴とする、請求項１に記載の方法。
【請求項３】
ユーザ端末用の制御情報の中のポインタの専用値が、さらなるユーザ端末（ＩｍＰ−ＵＥ、ＨＰ−ＵＥ）用のさらなるダウンリンク・データが前記ダウンリンク重畳無線信号の中に含まれていないことを示すことを特徴とする、請求項１に記載の方法。
【請求項４】
前記ユーザ端末（ＬＰ−ＵＥ）が前記少なくとも１つのさらなるユーザ端末（ＩｍＰ−ＵＥ、ＨＰ−ＵＥ）用の前記ダウンリンク・データを復号することを可能にする、前記少なくとも１つのさらなるユーザ端末（ＩｍＰ−ＵＥ、ＨＰ−ＵＥ）用の制御情報を、前記ユーザ端末（ＬＰ−ＵＥ）用の制御情報が含むことを特徴とする、請求項１に記載の方法。
【請求項５】
ダウンリンク・データが同じ無線リソース上で伝送されて前記重畳無線信号になる、前記ユーザ端末（ＬＰ−ＵＥ）および前記少なくとも１つのさらなるユーザ端末（ＩｍＰ−ＵＥ、ＨＰ−ＵＥ）を、経路損失および他のユーザ端末からのダウンリンク・データを復号する能力に基づいて、前記基地局（ＢＳ）が繰り返し決定することを特徴とする、請求項１に記載の方法。
【請求項６】
ダウンリンク・データが同じ無線リソース上で伝送される、前記ユーザ端末（ＬＰ−ＵＥ）および前記少なくとも１つのさらなるユーザ端末（ＩｍＰ−ＵＥ、ＨＰ−ＵＥ）が、少なくとも１つのサブフレームのタイム・スパンの間で決定されることを特徴とする、請求項５に記載の方法。
【請求項７】
前記制御情報が、前記基地局（ＢＳ）から前記ユーザ端末（ＬＰ−ＵＥ）へのダウンリンクの中で、少なくとも１つの物理ダウンリンク制御チャネルを介して送信されることを特徴とする、請求項１に記載の方法。
【請求項８】
前記ユーザ端末（ＬＰ−ＵＥ）が径方向空間分割多元接続を実行することが可能になることを特徴とする、請求項１に記載の方法。
【請求項９】
同じ無線リソースを使用して伝送される、ユーザ端末（ＬＰ−ＵＥ）用のダウンリンク・データおよび少なくとも１つのさらなるユーザ端末（ＩｍＰ−ＵＥ、ＨＰ−ＵＥ）用のダウンリンク・データを含む、ダウンリンク重畳無線信号を用いた前記ユーザ端末（ＬＰ−ＵＥ）とのダウンリンク通信用の基地局（ＢＳ）であって、
・前記ユーザ端末（ＬＰ−ＵＥ）用の前記ダウンリンク・データを、前記少なくとも１つのさらなるユーザ端末（ＩｍＰ−ＵＥ、ＨＰ−ＵＥ）用の前記ダウンリンク・データより低い出力で伝送し、
・前記ユーザ端末（ＬＰ−ＵＥ）が前記少なくとも１つのさらなるユーザ端末（ＩｍＰ−ＵＥ、ＨＰ−ＵＥ）用の前記ダウンリンク・データを復号することを可能にする制御情報を、前記ユーザ端末（ＬＰ−ＵＥ）へのダウンリンクの中で送信する
ように適合された、少なくとも１つの処理手段を含み、
前記ユーザ端末（ＬＰ−ＵＥ）用の制御情報の中の、別のユーザ端末の前記制御情報を指すポインタにより、前記ユーザ端末（ＬＰ−ＵＥ）および前記少なくとも１つのさらなるユーザ端末（ＩｍＰ−ＵＥ、ＨＰ−ＵＥ）用の前記制御情報が、チェーンのようにリンクされている、基地局（ＢＳ）。
【請求項１０】
同じ無線リソースを使用して伝送される、ユーザ端末（ＬＰ−ＵＥ）用のダウンリンク・データおよび少なくとも１つのさらなるユーザ端末（ＩｍＰ−ＵＥ、ＨＰ−ＵＥ）用のダウンリンク・データを含む、ダウンリンク重畳無線信号を用いた基地局（ＢＳ）とのダウンリンク通信用のユーザ端末（ＬＰ−ＵＥ）であって、
・前記ユーザ端末（ＬＰ−ＵＥ）用の制御情報の中の、別のユーザ端末の前記制御情報を指すポインタによりチェーンのようにリンクされた、前記ユーザ端末（ＬＰ−ＵＥ）および前記少なくとも１つのさらなるユーザ端末（ＩｍＰ−ＵＥ、ＨＰ−ＵＥ）用の前記制御情報を復号し、
・ダウンリンク伝送出力が最も高い出力で始まる順序で前記少なくとも１つのさらなるユーザ端末（ＩｍＰ−ＵＥ、ＨＰ−ＵＥ）用の前記ダウンリンク・データを復号すること、前記少なくとも１つのさらなるユーザ端末（ＩｍＰ−ＵＥ、ＨＰ−ＵＥ）用の前記ダウンリンク・データの無線信号を再構成すること、および、前記少なくとも１つのさらなるユーザ端末（ＩｍＰ−ＵＥ、ＨＰ−ＵＥ）用の前記ダウンリンク・データの前記無線信号を前記重畳無線信号から取り去ることによって、前記重畳無線信号を連続的に削減し、
・前記少なくとも１つのさらなるユーザ端末（ＩｍＰ−ＵＥ、ＨＰ−ＵＥ）用の前記無線信号の分だけ削減された前記重畳無線信号を使用して、それ自体のダウンリンク・データを復号する
ように適合された、少なくとも１つの処理手段を含むユーザ端末（ＬＰ−ＵＥ）。
【請求項１１】
少なくとも１つの請求項９に記載の基地局（ＢＳ）および少なくとも１つの請求項１０に記載のユーザ端末（ＬＰ−ＵＥ）を含む通信ネットワーク（ＣＮ）。
【発明の詳細な説明】
【技術分野】
【０００１】
本発明は、同じ無線リソースを使用して伝送される、ユーザ端末用のダウンリンク・データおよび少なくとも１つのさらなるユーザ端末用のダウンリンク・データを含む、ダウンリンク重畳無線信号を用いた基地局とユーザ端末の間のダウンリンク通信の方法、ならびに前記方法を実行するように適合された基地局およびユーザ端末に関する。
【背景技術】
【０００２】
著しく向上したスループットを有するだけでなく、第４世代（４Ｇ）携帯無線アクセス・システムは、コスト効率が高く、かつ、セル端でさえ十分な性能を提供することが期待される。いわゆる径方向空間分割多元接続（ＲＤＭＡ）を使用すると、システムのスペクトル効率を著しく向上させることができ、アンテナの数を増やすことなく、かつ高速のバックボーン通信および基地局間の同期を必要とせずに、ユーザ間の公平性を提供することができる。基本的な考え方は、空間分割多元接続（ＳＤＭＡ）の中のような空間の角度寸法だけでなく、同じ無線リソースを介した複数の信号の同時伝送および受信機の中の結合検出を使用して、径方向寸法も活用することにより、公平性の制約下でマルチユーザ・チャネルの容量を増やすことである。著しいスループットの向上は、送信機での長期間のチャネル統計情報だけを必要として、瞬間のチャネル状態の情報を必要としない、複雑度が低い方法によって達成される。これらのスループットの向上は、より高度なアナログ・ハードウェア、または帯域幅もしくは送信出力の増加を必要とせずに、達成することができる。
【発明の概要】
【発明が解決しようとする課題】
【０００３】
径方向空間分割多元接続（ＲＤＭＡ）の中でスペクトル効率を向上させるために、２つ以上のユーザ端末が、例えば同じ周波数で同じ時間のように、例えば同じサブフレームの中のように、同じリソース上のスケジューリングに関与する。例として、異なる出力レベルをもつ２つの無線信号、低出力データ・ストリームおよび高出力データ・ストリームが、同じフレーム・リソースの中で、すなわち同じバーストの中で重畳され伝送される。ダウンリンクの中のＲＤＭＡ方式の場合、低出力データ・ストリームは、通常、低い経路損失に起因して基地局に近いユーザ端末に伝送され、高出力データ・ストリームは、通常、高い経路損失に起因して基地局から遠いユーザ端末に伝送される。
【０００４】
バーストの中に位置するそれ自体のポイント・ツー・ポイント・データ・ストリームを復号するために、ユーザ端末は、各ユーザ端末に個別のダウンリンク・グラント記述の中で、例えばバーストの位置、変調および符号化方式、ならびに冗長構成バージョンのような、すべての必要な情報を取得する。
【０００５】
従来技術による、ダウンリンク重畳無線信号を用いたダウンリンク通信の方法の主要な問題は、低出力ユーザ端末、すなわち基地局に近いユーザ端末がその低出力データ・ストリームを復号することができないことであり、その理由は、高出力データ・ストリームが同じリソースを使用してその低出力データ・ストリームの上に重畳されるからである。
【０００６】
したがって、本発明の目的は、別のユーザ端末の別のデータ・ストリームが同じリソースを使用して重畳される場合に、ユーザ端末がそれ自体のデータ・ストリームを復号することを可能にすることであり、その結果ダウンリンク重畳無線信号を用いたダウンリンク通信の方法を実行することができる。
【０００７】
この目的は、同じ無線リソースを使用して伝送される、ユーザ端末用のダウンリンク・データおよび少なくとも１つのさらなるユーザ端末用のダウンリンク・データを含む、ダウンリンク重畳無線信号を用いた、基地局とユーザ端末の間のダウンリンク通信の方法によって達成される。そこで、ユーザ端末用のダウンリンク・データは、少なくとも１つのさらなるユーザ端末用のダウンリンク・データより低い出力で伝送され、ユーザ端末が少なくとも１つのさらなるユーザ端末用のダウンリンク・データを復号することを可能にする制御情報は、基地局からユーザ端末へのダウンリンクの中で送信され、ユーザ端末は、ダウンリンク伝送出力が最も高い出力で始まる順序で少なくとも１つのさらなるユーザ端末用のダウンリンク・データを復号すること、少なくとも１つのさらなるユーザ端末用のダウンリンク・データの無線信号を再構成すること、および、少なくとも１つのさらなるユーザ端末用のダウンリンク・データの無線信号を重畳無線信号から取り去ることにより、重畳無線信号を連続的に削減し、かつユーザ端末は、少なくとも１つのさらなるユーザ端末用の無線信号の分だけ削減された重畳無線信号を使用して、それ自体のダウンリンク・データを復号する。
【０００８】
さらに、本目的は、同じ無線リソースを使用して伝送される、ユーザ端末用のダウンリンク・データおよび少なくとも１つのさらなるユーザ端末用のダウンリンク・データを含む、ダウンリンク重畳無線信号を用いたユーザ端末とのダウンリンク通信用の基地局によって達成され、前記基地局は、少なくとも１つのさらなるユーザ端末用のダウンリンク・データより低い出力でユーザ端末用のダウンリンク・データを伝送するように適合され、かつ、ユーザ端末が少なくとも１つのさらなるユーザ端末用のダウンリンク・データを復号することを可能にする制御情報を、ユーザ端末へのダウンリンクの中で送信するように適合された、少なくとも１つの処理手段を含む。
【０００９】
さらに、本目的は、同じ無線リソースを使用して伝送される、ユーザ端末用のダウンリンク・データおよび少なくとも１つのさらなるユーザ端末用のダウンリンク・データを含む、ダウンリンク重畳無線信号を用いた基地局とのダウンリンク通信用のユーザ端末によって達成され、前記ユーザ端末は、ダウンリンク伝送出力が最も高い出力で始まる順序で少なくとも１つのさらなるユーザ端末用のダウンリンク・データを復号すること、少なくとも１つのさらなるユーザ端末用のダウンリンク・データの無線信号を再構成すること、および、少なくとも１つのさらなるユーザ端末用のダウンリンク・データの無線信号を重畳無線信号から取り去ることにより、重畳無線信号を連続的に削減するように適合され、かつ、少なくとも１つのさらなるユーザ端末用の無線信号の分だけ削減された重畳無線信号を使用して、それ自体のダウンリンク・データを復号するように適合された、少なくとも１つの処理手段を含む。
【００１０】
低出力ユーザ端末、すなわち基地局に近いユーザ端末は、その低出力データ・ストリームを復号するために、基地局から遠いユーザ端末の高出力データ・ストリームも受信し復号しなければならない。
【００１１】
高出力ユーザ端末、すなわち基地局から遠いユーザ端末の重畳された高出力データ・ストリームを復号できるようにするために、低出力ユーザ端末は、重畳された高出力データ・ストリームの、例えば変調および符号化方式ならびに冗長構成バージョンのような追加情報を必要とする。従来技術による方法では、外的バーストの、すなわち高出力データ・ストリームの前記情報を低出力ユーザ端末に提供する手段は１つも予見されていない。
【００１２】
基地局が重畳データ伝送を知らせる１つの可能性は、低出力データ・ストリーム用の各グラントが拡張され、例えばそれぞれのセル無線ネットワーク一時的識別子（Ｃ−ＲＮＴＩ）のような、高出力データ・ストリームへのポインタを少なくとも含むような方法で、グラントを生成することである。さらに、高出力データ・ストリームに関係する次のダウンリンク制御情報（ＤＣＩ）の検索のために、アグリゲーション・レベル範囲を知らせることができる。すなわちアグリゲーション・レベル範囲は、対応する高出力グラントを低出力ユーザ端末がどの範囲で検索すべきかを示す。
【００１３】
低出力ユーザ端末は、いつも最初にそれ自体のセル無線ネットワーク一時的識別子（Ｃ−ＲＮＴＩ）専用のグラントを検索する。このグラントが拡張される、すなわち高出力ユーザ端末に関係するポインタを含む場合、低出力ユーザ端末は、対応する高出力ユーザ端末のグラントを検索し、それらも復号する。アグリゲーション・レベル範囲がグラントに含まれる場合、低出力ユーザ端末は、指定されたアグリゲーション・レベル範囲内のみで、高出力ユーザ端末に関係するポインタによって示された次のグラントを検索する。次のグラントが再び拡張されたグラントである場合、低出力ユーザ端末は、拡張されたグラントの中で見つかった追加ポインタに関係するグラントの検索を、拡張されたＲＤＭＡ関連の情報をもはや何も含まない最後のグラントが見つかるまで繰り返す。
【００１４】
ＲＤＭＡ伝送方式に関与する一般的な機能のほかに、ＬＴＥリリース８用の従来のユーザ端末の動作に比べて、ＲＤＭＡ対応のユーザ端末の動作の変わったところは、ＲＤＭＡ対応のユーザ端末は、それ自体のセル無線ネットワーク一時的識別子（Ｃ−ＲＮＴＩ）に関係するグラントに始まって、高出力ユーザ端末の追加グラントを連続的に検索する、２つ以上のダウンリンク・グラントに従わなければならないことである。次いで、ＲＤＭＡ対応のユーザ端末は、追加データ・ストリームの各無線信号を、受信した無線信号全体から取り去る。ＲＤＭＡ対応のユーザ端末のセル無線ネットワーク一時的識別子（Ｃ−ＲＮＴＩ）に関係するデータ・ストリームは、ＲＤＭＡ対応のユーザ端末自体のデータ・ストリームであると考えられる。ＲＤＭＡ対応のユーザ端末のデータ・ストリームは、残りの無線信号から取得され、次いで、最後のステップで高位層に転送される。対照的に、高出力データ・ストリームは高位層には転送されない。
【００１５】
従来のユーザ端末とＲＤＭＡ対応のユーザ端末との混在動作は可能である。従来のユーザ端末は、ＲＤＭＡなしで、または、実施形態の中で上述したように、重畳された高出力データ・ストリームおよび低出力データ・ストリームを有する高出力ユーザ端末としてのみ動作することができる。３つ以上の重畳されたデータ・ストリームを使った実施形態では、従来のユーザ端末は、リンクされたＤＣＩのチェーンの中の最後のＤＣＩに関係することができる。すなわち、それは最高出力のユーザ端末であり得る。
【００１６】
基地局が重畳データ伝送を知らせる別の可能性は、低出力データ・ストリーム用の各グラントが高出力データ・ストリームも復号するために必要なすべての情報によって拡張されるような方法で、グラントを生成することである。
【課題を解決するための手段】
【００１７】
本発明の実施形態によると、低出力ユーザ端末が低出力データ・ストリームおよび高出力データ・ストリームを復号する情報を有すると、低出力ユーザ端末は、最初に高出力データ・ストリームを復号し、次いで、高出力データ・ストリームの無線信号を再構成し、重畳無線信号から取り去る。その後、低出力データ・ストリームは、結果としてできた、高出力データ・ストリームをもはや含まない無線信号から抜き出される。
【００１８】
現在の第３世代パートナーシップ・プロジェクト・ロング・ターム・エボリューション（３ＧＰＰ  ＬＴＥ）リリース８システムにおいて、第１のユーザ端末から第２のユーザ端末へのポイント・ツー・ポイント・データ・ストリームのグラント記述を伝送する手段は１つも予見されていない。したがって、本発明の実施形態によると、重畳されたポイント・ツー・ポイント・データ・ストリームのグラント記述を、ＲＤＭＡ伝送に関わるすべてのユーザ端末に、同時にかつ高効率的に伝送する解決策が提供される。
【００１９】
同じリソース上でＲＤＭＡ伝送に関与するユーザ端末の数は、２つのユーザ端末に限定されない。したがって、本発明の実施形態によると、本信号方式は、２つ以上のユーザ端末に同時に対処することが可能である。
【００２０】
本発明は、３ＧＰＰ  ＬＴＥのフレーム・ワーク内で、以下に記載される。しかしながら、本発明は３ＧＰＰ  ＬＴＥに制限されないので、原理的には、例えばＷｉＭＡＸネットワーク（ＷｉＭＡＸ＝ワールド・ワイド・インターオペラビリティ・フォア・マイクロ波アクセス）の中のような、同じ無線リソースを介した複数の信号の同時伝送および受信機の中の結合検出を使用して径方向寸法を活用することができる、他のネットワークに適合することができる。以下では、ｅＮｏｄｅＢという用語の代わりに、より一般的な用語である基地局を使用する。
【００２１】
従属した特許請求の範囲および以下の説明から、本発明のさらなる発展形態を知ることができる。
【００２２】
以下で、添付図面を参照しながら、本発明をさらに説明する。
【図面の簡単な説明】
【００２３】
【図１】本発明を実装することができる通信ネットワークを示す概略図である。
【図２】本発明を実装することができるユーザ端末および基地局の構造を示す概略図である。
【図３】３つの重畳されたデータ・ストリームの出力密度を例示的に示す概略図である。
【図４】同じ周波数リソースを使用する２つのデータ・ストリームの信号方式を例示的に示す概略図である。
【図５】本発明の実施形態による、チェーンのようにつながったダウンリンク制御情報の拡張フォーマットの例を示す概略図である。
【図６】本発明の実施形態による、アグリゲーション・レベルを含む、チェーンのようにつながったダウンリンク制御情報の拡張フォーマットの例を示す概略図である。
【図７】本発明の実施形態による、アグリゲーション・レベル範囲およびダウンリンク制御情報の符号化フォーマットの例を示す概略図である。
【図８】本発明の実施形態による、アグリゲーション・レベルおよびチェーンの終端の標識を含む、チェーンのようにつながったダウンリンク制御情報の拡張フォーマットの例を示す概略図である。
【図９】本発明の実施形態による、別のユーザ端末のデータ・ストリームを復号するために必要な情報を含む、ダウンリンク制御情報の拡張フォーマットの例を示す概略図である。
【発明を実施するための形態】
【００２４】
図１は、本発明を実装することができる通信ネットワークの例として、標準の３ＧＰＰ  ＬＴＥによる通信ネットワークＣＮを示す。
【００２５】
前記通信ネットワークＣＮは、基地局ＢＳ１〜ＢＳ３、ユーザ端末ＵＥ１〜ＵＥ４、サービング・ゲートウェイＳＧＷ、パケット・データ・ネットワーク・ゲートウェイＰＤＮＧＷ、およびモビリティ管理エンティティＭＭＥを含む。
【００２６】
前記ユーザ端末ＵＥ１〜ＵＥ４のそれぞれは、無線接続を介して１つまたは複数の前記基地局ＢＳ１〜ＢＳ３に接続し、それらは図１の中でフラッシュによって表される。基地局ＢＳ１〜ＢＳ３は、同様に、いわゆるＳ１インタフェースを介して、サービング・ゲートウェイＳＧＷおよびモビリティ管理エンティティＭＭＥ、すなわち発展型パケット・コア（ＥＰＣ）に接続する。
【００２７】
基地局ＢＳ１〜ＢＳ３は、いわゆるＸ２インタフェースを介してお互いに接続する。
【００２８】
サービング・ゲートウェイＳＧＷは、パケット・データ・ネットワーク・ゲートウェイＰＤＮＧＷに接続し、パケット・データ・ネットワーク・ゲートウェイＰＤＮＧＷは、同様に外部ＩＰネットワークＩＰＮに接続する。
【００２９】
Ｓ１インタフェースは、基地局ＢＳ１〜ＢＳ３、すなわちこの例ではｅＮｏｄｅＢと発展型パケット・コア（ＥＰＣ）の間の標準化されたインタフェースである。Ｓ１インタフェースは、基地局ＢＳ１〜ＢＳ３とモビリティ管理エンティティＭＭＥとの間で信号メッセージを交換するためのＳ１−ＭＭＥ、および、基地局ＢＳ１〜ＢＳ３とサービング・ゲートウェイＳＧＷとの間でユーザ・データグラムを移送するためのＳ１−Ｕの２つの種類を有する。
【００３０】
Ｘ２インタフェースは、ハンドオーバ中にユーザ・プレーン信号および制御プレーン信号を転送するために、かつ、調整されたマルチポイントの受信または送信を実行するために、３ＧＰＰ  ＬＴＥ標準の中に追加される。アップリンクの中で調整されたマルチポイントを受信する場合、調整区域または調整グループの中の基地局ＢＳ１〜ＢＳ３は、それぞれのエア・インターフェースで受信したデータを、調整装置に、例えばマスタ基地局ＢＳ３に、または、図１には示していない外部の調整されたマルチポイント調整装置に、好ましくは、いわゆるＸ２インタフェースを介して、すなわちバックホールを介して、異なる基地局ＢＳ１〜ＢＳ３からのデータを評価するために、転送する。
【００３１】
サービング・ゲートウェイＳＧＷは、基地局ＢＳ１〜ＢＳ３とパケット・データ・ネットワーク・ゲートウェイＰＤＮＧＷとの間のＩＰユーザ・データのルーティングを実行する。さらに、サービング・ゲートウェイＳＧＷは、異なる基地局間の、または異なる３ＧＰＰアクセス・ネットワーク間のどちらかのハンドオーバ中に、モバイル・アンカ・ポイントとして働く。
【００３２】
パケット・データ・ネットワーク・ゲートウェイＰＤＮＧＷは、外部ＩＰネットワークＩＰＮへのインタフェースを代表し、ユーザ端末（ＵＥ１〜ＵＥ４）とそれぞれのサービング基地局（ＢＳ１〜ＢＳ３）との間に確立される、いわゆるＥＰＳベアラ（ＥＰＳ＝発展型パケット・システム）の終端となる。
【００３３】
モビリティ管理エンティティＭＭＥは、加入者管理およびセッション管理のタスクを実行し、また、異なるアクセス・ネットワーク間のハンドオーバ中のモビリティ管理を実行する。
【００３４】
図２は、本発明を実装することができる、ユーザ端末および基地局ＢＳの構造を示す概略図である。
【００３５】
基地局ＢＳは、例として３つのモデム・ユニット・ボードＭＵ１〜ＭＵ３および制御ユニット・ボードＣＵ１を含み、制御ユニット・ボードＣＵ１は、同様にメディア依存性アダプタＭＤＡを含む。
【００３６】
３つのモデム・ユニット・ボードＭＵ１〜ＭＵ３は、制御ユニット・ボードＣＵ１に接続し、制御ユニット・ボードＣＵ１は、同様に、いわゆる共通公衆無線インタフェース（ＣＰＲＩ）を介して、リモート無線ヘッドＲＲＨに接続する。
【００３７】
リモート無線ヘッドＲＲＨは、無線インタフェースを介してデータを送受信するために、例として２本のリモート無線ヘッド・アンテナＲＲＨＡ１およびＲＲＨＡ２に接続する。
【００３８】
メディア依存性アダプタＭＤＡは、モビリティ管理エンティティＭＭＥに、およびサービング・ゲートウェイＳＧＷに、したがってパケット・データ・ネットワーク・ゲートウェイＰＤＮＧＷに接続し、パケット・データ・ネットワーク・ゲートウェイＰＤＮＧＷは、同様に外部ＩＰネットワークＩＰＮに接続する。
【００３９】
ユーザ端末ＵＥは、例として、２本のユーザ端末アンテナＵＥＡ１およびＵＥＡ２、モデム・ユニット・ボードＭＵ４、制御ユニット・ボードＣＵ２、ならびにインタフェースＩＮＴを含む。
【００４０】
２本のユーザ端末アンテナＵＥＡ１およびＵＥＡ２は、モデム・ユニット・ボードＭＵ４に接続する。モデム・ユニット・ボードＭＵ４は、制御ユニット・ボードＣＵ２に接続し、制御ユニット・ボードＣＵ２は、同様にインタフェースＩＮＴに接続する。
【００４１】
モデム・ユニット・ボードＭＵ１〜ＭＵ４および制御ユニット・ボードＣＵ１、ＣＵ２は、上述のタスクの実行を可能にするために、例として、フィールド・プログラマブル・ゲート・アレイ（ＦＰＧＡ）、デジタル・シグナル・プロセッサ（ＤＳＰ）、スイッチ、および、例えばダブル・データ・レート同期式ダイナミック・ランダム・アクセス・メモリ（ＤＤＲ−ＳＤＲＡＭ）のようなメモリを含むことができる。
【００４２】
リモート無線ヘッドＲＲＨは、いわゆる無線装置、例えばデルタ・シグマ変調器（ＤＳＭ）およびスイッチ・モード増幅器のような変調器および増幅器を含む。
【００４３】
ダウンリンクの中で、外部ＩＰネットワークＩＰＮから受信したＩＰデータは、ＥＰＳベアラ上で、パケット・データ・ネットワーク・ゲートウェイＰＤＮＧＷから、サービング・ゲートウェイＳＧＷを介して、基地局ＢＳのメディア依存性アダプタＭＤＡに伝送される。メディア依存性アダプタＭＤＡは、例えばビデオ・ストリーミングまたはウェブ・ブラウジングのような、さまざまなメディアの接続を可能にする。
【００４４】
制御ユニット・ボードＣＵ１は、測定およびセル再選択、ハンドオーバ、ならびに、無線リソース制御（ＲＲＣ）のセキュリティおよび保全性などの、レイヤ３上、すなわちＲＲＣ層上のタスクを実行する。
【００４５】
さらに、制御ユニット・ボードＣＵ１は、運用および整備のためのタスクを実行し、Ｓ１インタフェース、Ｘ２インタフェースおよび共通公衆無線インタフェースを制御する。
【００４６】
制御ユニット・ボードＣＵ１は、サービング・ゲートウェイＳＧＷから受信したＩＰデータを、さらなる処理のためにモデム・ユニット・ボードＭＵ１〜ＭＵ３に送信する。
【００４７】
３つのモデム・ユニット・ボードＭＵ１〜ＭＵ３は、レイヤ２上、すなわち、例えばヘッダ圧縮および暗号化を担当するＰＤＣＰ層（ＰＤＣＰ＝パケット・データ圧縮プロトコル）上、例えばセグメンテーションおよび自動再送要求（ＡＲＱ）を担当するＲＬＣ層（ＲＬＣ＝無線リンク制御）上、ならびに、ＭＡＣマルチプレキシングおよびハイブリッド再送要求（ＨＡＲＱ）を担当するＭＡＣ層（ＭＡＣ＝メディア・アクセス制御）上のデータ処理を実行する。
【００４８】
さらに、３つのモデム・ユニット・ボードＭＵ１〜ＭＵ３は、物理層上のデータ処理、すなわち符号化、変調、ならびにアンテナおよびリソース・ブロックのマッピングを実行する。
【００４９】
符号化され変調されたデータは、アンテナおよびリソース・ブロックにマップされ、伝送符号としてモデム・ユニット・ボードＭＵ１〜ＭＵ３から制御ユニット・ボードＣＵ経由共通公衆無線インタフェースを介して、エア・インターフェースを介した伝送用にリモート無線ヘッドおよびそれぞれのリモート無線ヘッド・アンテナＲＲＨＡ１、ＲＲＨＡ２に送信される。
【００５０】
共通公衆無線インタフェース（ＣＰＲＩ）は、分散アーキテクチャの使用を可能にし、そこではいわゆる無線装置制御を含む基地局ＢＳは、好ましくはＣＰＲＩデータを伝達するロスレス・ファイバ・リンクを介して、リモート無線ヘッドＲＲＨに接続する。このアーキテクチャは、サービス・プロバイダのコストを削減する。何故なら、例えば増幅器のようないわゆる無線装置を含むリモート無線ヘッドＲＲＨだけしか、環境的に困難な場所に位置する必要がないからである。基地局ＢＳは、電力のフットプリント、状況および可用性をより簡単に管理できる、あまり困難でない場所の中央に位置することができる。
【００５１】
ユーザ端末アンテナＵＥ１、ＵＥ２は伝送符号を受信し、受信したデータをモデム・ユニット・ボードＭＵ４に提供する。
【００５２】
モデム・ユニット・ボードＭＵ４は、物理層上のデータ処理、すなわちアンテナおよびリソース・ブロックのデマッピング、復調ならびに復号を実行する。
【００５３】
さらに、モデム・ユニット・ボードＭＵ４は、レイヤ２上、すなわちハイブリッド再送要求（ＨＡＲＱ）およびＭＡＣデマルチプレキシングを担当するＭＡＣ層（ＭＡＣ＝メディア・アクセス制御）上、例えばリアセンブリおよび自動再送要求（ＡＲＱ）を担当するＲＬＣ層（ＲＬＣ＝無線リンク制御）上、ならびに、例えば暗号解読およびヘッダ圧縮を担当するＰＤＣＰ層（ＰＤＣＰ＝パケット・データ圧縮プロトコル）上のデータ処理を実行する。
【００５４】
モデム・ユニット・ボードＭＵ４上の処理は、制御ユニット・ボードＣＵ２に送信されるＩＰデータを結果としてもたらし、制御ユニット・ボードＣＵ２は、測定およびセル再選択、ハンドオーバ、ならびに、無線リソース制御（ＲＲＣ）のセキュリティおよび保全性などの、レイヤ３上、すなわちＲＲＣ層上のタスクを実行する。
【００５５】
ＩＰデータは、制御ユニット・ボードＣＵ２から、出力およびユーザとの相互作用それぞれのためのインタフェースＩＮＴに伝送される。
【００５６】
アップリンクの中で、データ伝送は、ユーザ端末ＵＥから外部ＩＰネットワークＩＰＮへの反対方向にアナログ方式で実行される。
【００５７】
図３は、基地局ＢＳからの距離に依存する、３つの重畳されたダウンリンク・データ・ストリームＨＰ、ＩｍＰ、ＬＰの出力密度を例示的に示す概略図である。ダウンリンク・データ・ストリームＨＰ、ＩｍＰ、ＬＰの出力密度は、基地局からの距離が増すにつれて減少する。
【００５８】
最低の出力密度をもつダウンリンク・データ・ストリームＬＰは、基地局ＢＳへの距離が最も短いユーザ端末ＬＰ−ＵＥに属する。
【００５９】
中間の出力密度をもつダウンリンク・データ・ストリームＩｍＰは、基地局ＢＳへ中間の距離にあるユーザ端末ＩｍＰ−ＵＥに属する。
【００６０】
最高の出力密度をもつダウンリンク・データ・ストリームＨＰは、基地局ＢＳへの距離が最も長いユーザ端末ＨＰ−ＵＥに属する。
【００６１】
３つのデータ・ストリームＨＰ、ＩｍＰ、ＬＰは同じリソース・ブロックを使用して伝送されるので、その低出力データ・ストリームＬＰを復号するために、ユーザ端末ＬＰ−ＵＥは、また、ユーザ端末ＨＰ−ＵＥの高出力データ・ストリームＨＰおよびユーザ端末ＩｍＰ−ＵＥの中間出力データ・ストリームＩｍＰを復号しなければならない。したがって、ユーザ端末ＬＰ−ＵＥは、以下に記載するように、本発明の実施形態によって取得する、データ・ストリームＨＰおよびＩｍＰの復号を可能にする追加情報を必要とする。
【００６２】
図４において、ダウンリンク伝送用に使用される時間周波数リソースが描写される。図４は、同じ周波数リソース、すなわち同じバーストの中の同じリソース・ブロックを使用する、２つのデータ・ストリーム、高出力ユーザ端末ＨＰ−ＵＥの高出力データ・ストリームおよび低出力ユーザ端末ＬＰ−ＵＥの低出力データ・ストリームの信号方式を例示的に示す概略図である。
【００６３】
時間周波数グリッドの中の縞模様の区域によって示される、いわゆる制御領域の時間周波数リソースは、いわゆる物理ダウンリンク制御チャネル（ＰＤＣＣＨ）を構築するために使用される。制御領域内のいわゆるリソース・エレメントは、物理ダウンリンク制御チャネル（ＰＤＣＣＨ）を構築するために、いわゆる制御チャネル・エレメントとして使用される。
【００６４】
物理ダウンリンク制御チャネルはダウンリンク制御情報（ＤＣＩ）を伝達し、ダウンリンク制御情報（ＤＣＩ）は、物理ダウンリンク共有チャネル（ＰＤＳＣＨ）のリソースの指示、使用する転送フォーマットの指示、および、使用するハイブリッド自動再送要求（ＨＡＲＱ）に関する情報を含む、ダウンリンク・グラント、すなわちダウンリンク・スケジューリング割り当てを含む。
【００６５】
図４において、高出力ユーザ端末ＨＰ−ＵＥ用のダウンリンク制御情報ＤＣＩ＿ＨＰ−ＵＥ、および低出力ユーザ端末ＬＰ−ＵＥ用のダウンリンク制御情報ＤＣＩ＿ＬＰ−ＵＥは、サブフレームの中で、すなわちバーストの中で同じ時間周波数リソースがデータ伝送用に使用されることを示す。
【００６６】
高出力データ・ストリームの復号を可能にするために、低出力ユーザ端末ＬＰ−ＵＥは、それ自体の低出力データ・ストリームの復号に必要な情報の告知に加えて、高出力データ・ストリームに関する情報、例えば、関係するセル無線ネットワーク一時的識別子（Ｃ−ＲＮＴＩ）、使用する変調および符号化方式（ＭＣＳ）、ならびに使用する冗長構成バージョン（ＲＶ）を必要とする。セル無線ネットワーク一時的識別子（Ｃ−ＲＮＴＩ）は、ユーザ端末とネットワークの間の信号化目的で使用される識別情報である。変調および符号化方式（ＭＣＳ）は、例えばＱＡＭ（ＱＡＭ＝直交振幅変調）またはＱＰＳＫ（ＱＰＳＫ＝四相位相変調）などの、どの変調方式がどの符号化速度と組み合わせて使用されるかを示す。符号化方式によって生成されたすべてのビットを送信しなければならないことはないので、冗長構成バージョンは、符号化されたビットのどれを本当に送信するのかを示す。
【００６７】
本発明の実施形態によると、高出力データ・ストリームに関する情報は、ＬＴＥリリース８のＤＣＩフォーマットを拡張することにより、低出力ユーザ端末ＬＰ−ＵＥに提供される。そのような拡張ＤＣＩフォーマットは、高出力ユーザ端末ＨＰ−ＵＥのセル無線ネットワーク一時的識別子Ｃ−ＲＮＴＩにより、ＬＴＥリリース８のＤＣＩフォーマットを拡張することによって生成される。
【００６８】
図５は、本発明の実施形態による、チェーンのようにつながったダウンリンク制御情報の拡張フォーマットの例を示す概略図である。
【００６９】
高出力ユーザ端末ＨＰ−ＵＥの高出力データ・ストリームの復号を可能にするために、低出力ユーザ端末ＬＰ−ＵＥは、受信したダウンリンク・データの中で、そのセル無線ネットワーク一時的識別子Ｃ＿ＲＮＴＩ＿ＬＰ−ＵＥに関係する拡張ＤＣＩフォーマットを検索するように、例えばサービング基地局によって構成される。低出力ユーザ端末ＬＰ−ＵＥが、そのセル無線ネットワーク一時的識別子Ｃ＿ＲＮＴＩ＿ＬＰ−ＵＥに関係する拡張ＤＣＩフォーマットを見つけると、低出力ユーザ端末ＬＰ−ＵＥは拡張ＤＣＩを復号する。
【００７０】
図５の上部に示すように、復号された拡張ＤＣＩの中には、低出力ユーザ端末のＤＣＩ  ＤＣＩ＿ＬＰ−ＵＥと、本発明の実施形態によると、高出力ユーザ端末用のセル無線ネットワーク一時的識別子Ｃ−ＲＮＴＩ＿ＨＰ−ＵＥとの両方が存在する。
【００７１】
低出力ユーザ端末ＬＰ−ＵＥは、受信したダウンリンク・データの中で、セル無線ネットワーク一時的識別子Ｃ−ＲＮＴＩ＿ＨＰ−ＵＥに関係する、高出力ユーザ端末の従来のＤＣＩ  ＤＣＩ＿ＨＰ−ＵＥを検索する。
【００７２】
低出力ユーザ端末ＬＰ−ＵＥは、高出力ユーザ端末ＨＰ−ＵＥの従来のＤＣＩを復号する。前記高出力ユーザ端末の従来のＤＣＩ  ＤＣＩ＿ＨＰ−ＵＥの中で、低出力ユーザ端末ＬＰ−ＵＥは、高出力データ・ストリームの復号に必要なすべての情報を見つける。
【００７３】
次いで、低出力ユーザ端末ＬＰ−ＵＥは、最初に高出力データ・ストリームを復号し、高出力データ・ストリームの無線信号を再構成し、高出力データ・ストリームの無線信号および低出力データ・ストリームの無線信号を含む重畳無線信号から、高出力データ・ストリームの無線信号を取り去り、次いで、高出力データ・ストリームの無線信号の分だけ削減された重畳無線信号を使用して、低出力データ・ストリームを復号することができる。
【００７４】
これに反して、高出力ユーザ端末ＨＰ−ＵＥは、受信したダウンリンク・データの中で、そのセル無線ネットワーク一時的識別子Ｃ＿ＲＮＴＩ＿ＨＰ−ＵＥに関係する高出力ユーザ端末の従来のＤＣＩ  ＤＣＩ＿ＨＰ−ＵＥを検索するだけであり、その中で、高出力ユーザ端末ＨＰ−ＵＥは、高出力データ・ストリームの復号に必要なすべての情報を見つける。
【００７５】
本発明の実施形態によると、低出力ユーザ端末ＬＰ−ＵＥが、受信したダウンリンク・データの中で拡張ＤＣＩフォーマットを検索するように構成されるが、低出力ユーザ端末ＬＰ−ＵＥに伝送された低出力データ・ストリームと同じリソース上で重畳することができる高出力データ・ストリームを、サブフレームの中で見つけることができない場合、図５の下部に示すように、これはセル無線ネットワーク一時的識別子Ｃ＿ＲＮＴＩを０に設定することによって示される。
【００７６】
図４および５に記載した実施形態では、２つのユーザ端末ＬＰ−ＵＥおよびＨＰ−ＵＥに関係する２つの無線信号が重畳されるが、原理的には、拡張ＤＣＩフォーマットの中のセル無線ネットワーク一時的識別子Ｃ＿ＲＮＴＩ＿ＨＰ−ＵＥが別のユーザ端末の別の拡張ＤＣＩフォーマットを指す場合、ｎ個の無線信号を重畳することができる。したがって、拡張ＤＣＩフォーマットのチェーンは、すべてが重畳されるバーストに関係して生成することができる。
【００７７】
図６は、本発明の実施形態による、アグリゲーション・レベルを含む、チェーンのようにつながったダウンリンク制御情報の拡張フォーマットの例を示す概略図である。低出力ユーザ端末ＬＰ−ＵＥ、中間出力ユーザ端末ＩｍＰ−ＵＥ、および高出力ユーザ端末ＨＰ−ＵＥへの３つのデータ・ストリームが重畳される。しかしながら、一般にはｎ個のデータ・ストリームを重畳することができる。
【００７８】
そのデータ・ストリームの復号を可能にするために、低出力ユーザ端末ＬＰ−ＵＥは、また、中間出力データ・ストリームおよび高出力データ・ストリームを復号しなければならず、したがって、以下に記載する手順によって取得する追加情報を必要とする。
【００７９】
中間出力ユーザ端末ＩｍＰ−ＵＥの中間出力データ・ストリームおよび高出力ユーザ端末ＨＰ−ＵＥの高出力データ・ストリームの復号を可能にするために、低出力ユーザ端末ＬＰ−ＵＥは、受信したダウンリンク・データの中で、すべてのアグリゲーション・レベルでそのセル無線ネットワーク一時的識別子Ｃ＿ＲＮＴＩ＿ＬＰ−ＵＥに関係する拡張ＤＣＩフォーマットを検索するように、例えばサービング基地局によって構成される。低出力ユーザ端末ＬＰ−ＵＥが、そのセル無線ネットワーク一時的識別子Ｃ＿ＲＮＴＩ＿ＬＰ−ＵＥに関係する拡張ＤＣＩフォーマットを見つけると、低出力ユーザ端末ＬＰ−ＵＥは、その拡張ＤＣＩフォーマットを復号する。
【００８０】
図６に示すように、復号された拡張ＤＣＩの中には、低出力ユーザ端末のＤＣＩ  ＤＣＩ＿ＬＰ−ＵＥと、本発明の実施形態によると、中間出力ユーザ端末用のセル無線ネットワーク一時的識別子Ｃ−ＲＮＴＩ＿ＩｍＰ−ＵＥとの両方が存在する。さらに、拡張ＤＣＩフォーマットは、また、中間出力ユーザ端末ＩｍＰ−ＵＥ用のＤＣＩを検索するときの低出力ユーザ端末ＬＰ−ＵＥの処理労力を削減する、中間出力ユーザ端末ＩｍＰ−ＵＥのＤＣＩのアグリゲーション・レベルを示す値ＡＬを含む。
【００８１】
アグリゲーション・レベルの実行可能な符号化の例を図７に描写し、以下に説明する。図６に描写した例では、中間出力ユーザ端末ＩｍＰ−ＵＥのＤＣＩのアグリゲーション・レベルは、ＡＬ＝０１として符号化され、これは、中間出力ユーザ端末ＩｍＰ−ＵＥのＤＣＩがアグリゲーション・レベル≦２のときだけ検索されなければならないことを意味する。加えて、値ＡＬ＝０１は、また、例の中の中間出力ユーザ端末ＩｍＰ−ＵＥのＤＣＩフォーマットも拡張ＤＣＩフォーマットであることを示す。
【００８２】
したがって、低出力ユーザ端末ＬＰ−ＵＥは、受信したダウンリンク・データの中で、セル無線ネットワーク一時的識別子Ｃ＿ＲＮＴＩ＿ＩｍＰ−ＵＥに関係する中間出力ユーザ端末の拡張ＤＣＩフォーマットを検索する。低出力ユーザ端末ＬＰ−ＵＥが、セル無線ネットワーク一時的識別子Ｃ＿ＲＮＴＩ＿ＩｍＰ−ＵＥに関係する拡張ＤＣＩフォーマットを見つけると、低出力ユーザ端末ＬＰ−ＵＥは拡張ＤＣＩを復号する。
【００８３】
図６に示すように、復号された拡張ＤＣＩの中には、低出力ユーザ端末ＬＰ−ＵＥが中間出力データ・ストリームの復号に必要なすべての情報を見つける、中間出力ユーザ端末のＤＣＩ  ＤＣＩ＿ＩｍＰ−ＵＥと、本発明の実施形態によると、高出力ユーザ端末用のセル無線ネットワーク一時的識別子Ｃ−ＲＮＴＩ＿ＨＰ−ＵＥとの両方が存在する。さらに、拡張ＤＣＩフォーマットは、また、高出力ユーザ端末ＨＰ−ＵＥ用のＤＣＩを検索するときの低出力ユーザ端末ＬＰ−ＵＥの処理労力を削減する、高出力ユーザ端末ＨＰ−ＵＥのＤＣＩのアグリゲーション・レベルを示す値ＡＬを含む。
【００８４】
図６に描写した例では、高出力ユーザ端末ＨＰ−ＵＥのＤＣＩのアグリゲーション・レベルは、ＡＬ＝１１として符号化され、これは、高出力ユーザ端末ＨＰ−ＵＥのＤＣＩがアグリゲーション・レベル≧４のときだけ検索されなければならないことを意味する。加えて、値ＡＬ＝１１は、また、例の中の高出力ユーザ端末ＨＰ−ＵＥのＤＣＩフォーマットが従来のＤＣＩフォーマットであることを示す。
【００８５】
低出力ユーザ端末ＬＰ−ＵＥは、受信したダウンリンク・データの中で、セル無線ネットワーク一時的識別子Ｃ−ＲＮＴＩ＿ＨＰ−ＵＥに関係する高出力ユーザ端末の従来のＤＣＩ  ＤＣＩ＿ＨＰ−ＵＥを検索する。
【００８６】
低出力ユーザ端末ＬＰ−ＵＥは、高出力ユーザ端末ＨＰ−ＵＥの従来のＤＣＩを復号する。前記高出力ユーザ端末の従来のＤＣＩ  ＤＣＩ＿ＨＰ−ＵＥの中で、低出力ユーザ端末ＬＰ−ＵＥは、高出力データ・ストリームの復号に必要なすべての情報を見つける。
【００８７】
次いで、低出力ユーザ端末ＬＰ−ＵＥは、第１のステップで、高出力データ・ストリームを復号し、高出力データ・ストリームの無線信号を再構成し、高出力データ・ストリームの無線信号、中間出力データ・ストリームの無線信号および低出力データ・ストリームの無線信号を含む重畳無線信号から、高出力データ・ストリームの無線信号を取り去る。
【００８８】
第２のステップで、低出力ユーザ端末ＬＰ−ＵＥは、高出力データ・ストリームの無線信号の分だけ削減された重畳無線信号を使用して中間出力データ・ストリームを復号し、中間出力データ・ストリームの無線信号を再構成し、中間出力データ・ストリームの無線信号および低出力データ・ストリームの無線信号を含む重畳無線信号から、中間出力データ・ストリームの無線信号を取り去る。
【００８９】
第３のステップで、低出力ユーザ端末ＬＰ−ＵＥは、高出力データ・ストリームの無線信号および中間出力データ・ストリームの無線信号の分だけ削減された重畳無線信号を使用して、低出力データ・ストリームを復号する。
【００９０】
この実施形態では、高出力ユーザ端末ＨＰ−ＵＥの高出力データ・ストリームの復号を可能にするために、中間出力ユーザ端末ＩｍＰ−ＵＥは、受信したダウンリンク・データの中で、そのセル無線ネットワーク一時的識別子Ｃ＿ＲＮＴＩ＿ＩｍＰ−ＵＥに関係する拡張ＤＣＩフォーマットを検索するように、例えばサービング基地局によって構成される。
【００９１】
中間出力ユーザ端末ＩｍＰ−ＵＥは、中間出力データ・ストリームの復号を可能にするために、すべてのアグリゲーション・レベルでそのセル無線ネットワーク一時的識別子Ｃ＿ＲＮＴＩ＿ＩｍＰ−ＵＥに関係する拡張ＤＣＩフォーマットを検索しなければならないし、高出力データ・ストリームの復号を可能にするために、アグリゲーション・レベル≧４のときだけ、セル無線ネットワーク一時的識別子Ｃ＿ＲＮＴＩ＿ＨＰ−ＵＥ用の従来のＤＣＩフォーマットを検索しなければならない。
【００９２】
高出力ユーザ端末ＨＰ−ＵＥは基地局から他に命令を取得しなかったので、そのセル無線ネットワーク一時的識別子Ｃ＿ＲＮＴＩ＿ＨＰ−ＵＥに関係する従来のＤＣＩフォーマットを、すべてのアグリゲーション・レベルで探索するだけであり、その中で、高出力データ・ストリームの復号に必要なすべての情報を見つける。
【００９３】
図７は、本発明の実施形態による、アグリゲーション・レベル範囲およびダウンリンク制御情報の符号化フォーマットの例を示す概略図である。
【００９４】
上述したように、本発明の実施形態によると、拡張ＤＣＩフォーマットは、また、他のユーザ端末のＤＣＩを検索するための処理労力の削減に導く、拡張ＤＣＩフォーマットによってリンクされるユーザ端末のＤＣＩの、アグリゲーション・レベルまたはアグリゲーション・レベル範囲を示す値ＡＬを含む。
【００９５】
原理的には、グラント用に規定された４つの異なるリソース数が存在し、それらは、それぞれ１、２、４および８の数の制御チャネル・エレメントをもつ、いわゆるアグリゲーション・レベル１、２、４および８である。非常に良い無線状態、すなわち最良の状態を経験するユーザ端末発着の伝送用グラントは、したがって、１つの制御チャネル・エレメントのみを消費するが、非常に悪い無線状態、すなわち最悪の状態を経験するユーザ端末発着の伝送用グラントは、８つの制御チャネル・エレメントを消費する。
【００９６】
図７に描写したテーブルでは、アグリゲーション・レベルの検索スペース、および、リンクされたＤＣＩのフォーマット、すなわち従来のＤＣＩフォーマットまたは拡張ＤＣＩフォーマットを示す値ＡＬは、２ビットによって符号化される。
【００９７】
値ＡＬ＝００は、アグリゲーション・レベルが２以下であり、リンクされたＤＣＩが従来のＤＣＩであることを示す。
【００９８】
値ＡＬ＝０１は、アグリゲーション・レベルが２以下であり、リンクされたＤＣＩがＲＤＭＡのＤＣＩ、すなわち拡張ＤＣＩであることを示す。
【００９９】
値ＡＬ＝１０は、アグリゲーション・レベルが４以上であり、リンクされたＤＣＩがＲＤＭＡのＤＣＩ、すなわち拡張ＤＣＩであることを示す。
【０１００】
値ＡＬ＝１１は、アグリゲーション・レベルが４以上であり、リンクされたＤＣＩが従来のＤＣＩであることを示す。
【０１０１】
図８は、上部において、本発明の実施形態による、アグリゲーション・レベルおよびチェーンの終端の標識を含む、チェーンのようにつながったダウンリンク制御情報の拡張フォーマットの例を示す概略図である。低出力ユーザ端末ＬＰ−ＵＥへの、および高出力ユーザ端末ＨＰ−ＵＥへの、２つのデータ・ストリームが重畳される。
【０１０２】
そのデータ・ストリームの復号を可能にするために、低出力ユーザ端末ＬＰ−ＵＥは、また、高出力データ・ストリームを復号しなければならず、したがって、以下に記載する手順で取得する追加情報を必要とする。
【０１０３】
高出力ユーザ端末ＨＰ−ＵＥの高出力データ・ストリームの復号を可能にするために、低出力ユーザ端末ＬＰ−ＵＥは、受信したダウンリンク・データの中で、すべてのアグリゲーション・レベルでそのセル無線ネットワーク一時的識別子Ｃ＿ＲＮＴＩ＿ＬＰ−ＵＥに関係する拡張ＤＣＩフォーマットを検索するように、例えばサービング基地局によって構成される。低出力ユーザ端末ＬＰ−ＵＥが、そのセル無線ネットワーク一時的識別子Ｃ＿ＲＮＴＩ＿ＬＰ−ＵＥに関係する拡張ＤＣＩフォーマットを見つけると、低出力ユーザ端末ＬＰ−ＵＥは拡張ＤＣＩを復号する。
【０１０４】
図８に示すように、復号された拡張ＤＣＩの中には、低出力ユーザ端末のＤＣＩ  ＤＣＩ＿ＬＰ−ＵＥと、本発明の実施形態によると、高出力ユーザ端末用のセル無線ネットワーク一時的識別子Ｃ−ＲＮＴＩ＿ＨＰ−ＵＥとの両方が存在する。さらに、拡張ＤＣＩフォーマットは、また、高出力ユーザ端末ＨＰ−ＵＥ用のＤＣＩを検索するときの低出力ユーザ端末ＬＰ−ＵＥの処理労力を削減する、高出力ユーザ端末ＨＰ−ＵＥのＤＣＩのアグリゲーション・レベルを示す値ＡＬを含む。
【０１０５】
アグリゲーション・レベルの実行可能な符号化の例を図７に描写し、上記に説明した。図８に描写した例では、高出力ユーザ端末ＨＰ−ＵＥのＤＣＩのアグリゲーション・レベルは、ＡＬ＝０１として符号化され、これは、高出力ユーザ端末ＨＰ−ＵＥのＤＣＩがアグリゲーション・レベル≦２のときだけ検索されなければならないことを意味する。加えて、値ＡＬ＝０１は、また、例の中の高出力ユーザ端末ＨＰ−ＵＥのＤＣＩフォーマットも拡張ＤＣＩフォーマットであることを示す。
【０１０６】
したがって、低出力ユーザ端末ＬＰ−ＵＥは、受信したダウンリンク・データの中で、セル無線ネットワーク一時的識別子Ｃ＿ＲＮＴＩ＿ＨＰ−ＵＥに関係する高出力ユーザ端末の拡張ＤＣＩフォーマットを検索する。低出力ユーザ端末ＬＰ−ＵＥが、セル無線ネットワーク一時的識別子Ｃ＿ＲＮＴＩ＿ＨＰ−ＵＥに関係する拡張ＤＣＩフォーマットを見つけると、低出力ユーザ端末ＬＰ−ＵＥは拡張ＤＣＩを復号する。
【０１０７】
図８に示すように、復号された拡張ＤＣＩの中には、低出力ユーザ端末ＬＰ−ＵＥが高出力データ・ストリームの復号に必要なすべての情報を見つける、高出力ユーザ端末のＤＣＩ  ＤＣＩ＿ＨＰ−ＵＥと、本発明の実施形態によると、チェーンの終端に達したこと、すなわちこれに続くさらなるＤＣＩは存在しないことを示すために０である、セル無線ネットワーク一時的識別子Ｃ−ＲＮＴＩとの両方が存在する。
【０１０８】
さらに、拡張ＤＣＩフォーマットは、また、さらなるＤＣＩがリンクされないので、この場合数値が求まらない値ＡＬを含む。
【０１０９】
図８の下部に示すように、また、セル無線ネットワーク一時的識別子Ｃ＿ＲＮＴＩ＿ＬＰ−ＵＥに関係する低出力ユーザ端末ＬＰ−ＵＥの拡張ＤＣＩフォーマットの中で、セル無線ネットワーク一時的識別子Ｃ＿ＲＮＴＩを０に設定することによって示されるように、ＤＣＩチェーンが１つの拡張ＤＣＩだけを含むことが可能である。
【０１１０】
したがって、原理的には、ＤＣＩのチェーンの終端を示す、２つの可能性が存在する。図６に示したように、従来のＤＣＩが続き、したがってＤＣＩのチェーンの終端に達したことをアグリゲーション・レベル用の値ＡＬが示すか、または、図８に示したように、拡張されたＲＤＭＡのＤＣＩフォーマットの中のセル無線ネットワーク一時的識別子Ｃ−ＲＮＴＩが０になるかのどちらかである。
【０１１１】
本発明の別の実施形態によると、高出力ユーザ端末ＨＰ−ＵＥのデータ・ストリームを記述する、拡張ＤＣＩフォーマット、すなわちＲＤＭＡ対応のＤＣＩフォーマットは、セル無線ネットワーク一時的識別子（Ｃ−ＲＮＴＩ）、変調および符号化方式（ＭＣＳ）、ならびに冗長構成バージョン（ＲＶ）により、ＬＴＥリリース８のＤＣＩフォーマットを拡張することによって生成される。
【０１１２】
図９は、本発明の実施形態による、別のユーザ端末のデータ・ストリームを復号するために必要な情報を含むような、ダウンリンク制御情報の拡張フォーマットの例を示す概略図である。
【０１１３】
低出力ユーザ端末ＬＰ−ＵＥは、受信したダウンリンク・データの中で、すべてのアグリゲーション・レベルでそのセル無線ネットワーク一時的識別子Ｃ＿ＲＮＴＩ＿ＬＰ−ＵＥに関係する拡張ＤＣＩフォーマットを検索する。低出力ユーザ端末ＬＰ−ＵＥが、そのセル無線ネットワーク一時的識別子Ｃ＿ＲＮＴＩ＿ＬＰ−ＵＥに関係する拡張ＤＣＩフォーマットを見つけると、低出力ユーザ端末ＬＰ−ＵＥは拡張ＤＣＩを復号する。
【０１１４】
図９の上部に示すように、復号された拡張ＤＣＩの中には、低出力ユーザ端末のＤＣＩ  ＤＣＩ＿ＬＰ−ＵＥと、本発明の実施形態によると、高出力ユーザ端末ＨＰ−ＵＥ用のセル無線ネットワーク一時的識別子Ｃ−ＲＮＴＩ＿ＨＰ−ＵＥ、変調および符号化方式ＭＣＳ＿ＨＰ−ＵＥ、ならびに冗長構成バージョンＲＶ＿ＨＰ−ＵＥの両方が存在する。したがって、図５に上述したように、低出力ユーザ端末ＬＰ−ＵＥは、ここで、高出力データ・ストリームと低出力データ・ストリームの両方の復号に必要なすべての情報を有する。
【０１１５】
また、高出力ユーザ端末ＨＰ−ＵＥは、図９の下部に描写したように、従来のＤＣＩであるそれ自体のＤＣＩだけを検索し復号しなければならない。
【０１１６】
本発明のこの実施形態では、２つのユーザ端末用の無線信号だけを重畳することができる。
【０１１７】
原理的には、基地局は、例えば、他のユーザ端末からダウンリンク・データを復号するそれらの能力により、および経路損失に基づいて、どのユーザ端末を低出力ユーザ端末としてスケジュールするかを決めることができる。したがって、ＲＤＭＡ対応のユーザ端末は低出力または高出力ユーザ端末としてスケジュールすることができ、従来のユーザ端末は潜在的な高出力ユーザ端末としてスケジュールすることができる。
【０１１８】
基地局は、例えば制御チャネルを介して、それぞれの低出力ユーザ端末に、今後だけはＤＣＩを拡張ＤＣＩ、すなわちＲＤＭＡのＤＣＩとして復号するように知らせることができる。したがって、基地局は、例えば制御チャネルを介して、ＲＤＭＡ対応のユーザ端末を低出力ユーザ端末として構成することができる。ユーザ端末の経路損失は動作中変わることができるので、並べ替えのメカニズムを定期的に実行することができ、変更は影響を受けるユーザ端末に基地局によって知らせることができる。
【０１１９】
代案として、ＲＤＭＡ対応のユーザ端末は、最初に関係する従来のＤＣＩを探すように試みることができ、そのような従来のＤＣＩを見つけることができない場合、関係する拡張ＤＣＩを検索する。言い換えれば、ＲＤＭＡ対応のユーザ端末は、従来のＤＣＩまたは拡張ＤＣＩのどちらかを見つけるために、一種のブラインド復号を実行することができ、その結果基地局によって拡張ＤＣＩを検索するように明確に指図されてはならない。
【０１２０】
スケジューリング中、基地局は、例えば各サブフレーム用に、それらの無線信号を重畳することができるユーザ端末のペアまたはグループを形成する。ユーザ端末は拡張ＤＣＩフォーマットにより結果について知ることができるので、その無線信号を重畳することができるユーザ端末は、サブフレームからサブフレームに変わることができ、すなわちスケジューラは、それらの無線信号が重畳されたユーザ端末のペアまたはグループをＴＴＩ（ＴＴＩ＝伝送時間間隔）ごとに規定することにおいて、完全な柔軟性を有する。
【０１２１】
ＲＤＭＡ伝送方式の適用によりできるだけ多くの利用可能なリソースを使用できることを確実にするために、それらの無線信号が重畳されるようなユーザ端末のペアまたはグループのいくつかは、サブフレームごとに規定することができる。
【０１２２】
一般に、拡張ＤＣＩフォーマットは、例えばＬＴＥの中のＰＤＣＣＨのような物理ダウンリンク制御チャネルを介して、基地局からユーザ端末に知らせることができる。
【図１】
0005474211.tif 000002
【図２】
0005474211.tif 000003
【図３】
0005474211.tif 000004
【図４】
0005474211.tif 000005
【図５】
0005474211.tif 000006
【図６】
0005474211.tif 000007
【図７】
0005474211.tif 000008
【図８】
0005474211.tif 000009
【図９】
0005474211.tif 000010